(57)【要約】【課題】  低温に加熱した石板に横たわって身体を温める健康維持・増進に効果的な温浴装置の提供。【解決手段】  中空の直方体形状のフレーム１と、このフレーム１の上面に載せ置かれる石板２０とを主要部として備え、フレーム１の下部四隅に棒状の支柱部材５０が設けられており、利用者が横たわって使用するようベッド状に構成されている。フレーム１は、貯水可能なタンク状に形成されており、このフレーム１内に貯められる温水により石板２０が温められる。温水ボイラ５２から給水パイプ１２を介して取付部材８およびフレーム１内に温水が供給され、この温水は排水パイプ１４を介して温水ボイラ５２に戻され循環する。【選択図】      図１
2006198351.tif 000002
【特許請求の範囲】
【請求項１】
内部に温水が貯留される中空のフレームと、
このフレームの上面に載せ置かれる石板とを備え、
全体がベッド状に構成された
ことを特徴とする温浴装置。
【請求項２】
前記フレームからの水または温水を加熱するボイラを備え、
このボイラからの温水が前記フレームへ戻される
ことを特徴とする請求項１に記載の温浴装置。
【請求項３】
前記フレーム内の水または温水を加熱するヒーターが設けられた
ことを特徴とする請求項１に記載の温浴装置。
【請求項４】
前記フレームの一端部には、温水が貯留されない部分が形成された
ことを特徴とする請求項１から請求項３までのいずれかに記載の温浴装置。
【請求項５】
内部を水が循環可能とされた枕が設けられた
ことを特徴とする請求項１から請求項４までのいずれかに記載の温浴装置。
【発明の詳細な説明】
【技術分野】
【０００１】
本発明は、低温加熱した石板に横たわって身体を温める温浴装置に関するものである。
【背景技術】
【０００２】
身体を温めて健康を維持・増進する装置として、サウナシステムが普及している。
このサウナシステムには、乾式と湿式とがあり、乾式は約６０℃〜１００℃、湿式は約４５℃〜５５℃の温度範囲で使用されている。
【発明の開示】
【発明が解決しようとする課題】
【０００３】
しかしながら、このサウナシステムは、高温環境下に身体を晒すため、血流や心拍数が急速に高まったり、血圧の変化を来たすので、心臓病や高血圧症の人には利用できないという難点があった。
【０００４】
本発明は、上記課題に鑑みてなされたものであり、低温に加熱した石板に横たわって身体を温める健康維持・増進に効果的な温浴装置を提供することを目的としている。
【課題を解決するための手段】
【０００５】
上記目的を達成するために、本発明の温浴装置は、内部に温水が貯留される中空のフレームと、このフレームの上面に載せ置かれる石板とを備え、全体がベッド状に構成されたことを特徴とする。
【０００６】
また、好ましくは上記構成に加えて、前記フレームからの水または温水を加熱するボイラを備え、このボイラからの温水が前記フレームへ戻されることを特徴とする温浴装置である。
【０００７】
さらに、好ましくは上記構成に加えて、前記フレーム内の水または温水を加熱するヒーターが設けられたことを特徴とする温浴装置である。
【０００８】
また、好ましくは上記各構成に加えて、前記フレームの一端部には、温水が貯留されない部分が形成されたことを特徴とする温浴装置である。
【０００９】
さらに、好ましくは上記各構成に加えて、内部を水が循環可能とされた枕が設けられたことを特徴とする温浴装置である。
【発明の効果】
【００１０】
本発明による温浴装置は、低温に加熱した石板の上に身体を横たえる構成とされ、身体が内部まで温められ、健康の維持・増進に効果的である。
【発明を実施するための最良の形態】
【００１１】
以下、本発明の温浴装置について、実施例に基づき更に詳細に説明する。
【００１２】
図１は、本発明の温浴装置の一実施例を示す斜視図であり、図２は、図１の温浴装置の正面視縦断面図である。図３は、図１の温浴装置の側面視縦断面図である。
【００１３】
本実施例の温浴装置は、中空の扁平な直方体形状のフレーム１と、このフレーム１の上面に載せ置かれる石板２０とを主要部として備える。本実施例の温浴装置は、フレーム１の下部四隅に棒状の支柱部材５０が設けられており、利用者が横たわって使用するようベッド状に構成されている。
【００１４】
本実施例のフレーム１は、貯水可能なタンク状に形成されており、このフレーム１内に貯められる温水により石板２０が温められる。
フレーム１は、上方に開口した浅い長方形箱状の下フレーム２と、この下フレーム２の上部開口を覆うように下フレーム２に載せ置かれて固定される長方形板状の上フレーム４とから構成されている。下フレーム２および上フレーム４は、ステンレス等の高強度の金属材により形成されている。
【００１５】
下フレーム２の底面中央には、矩形状の穴２ａが厚さ方向に貫通して形成されている。
また、本実施例の下フレーム２には、利用者が横たわった際に頭部側になる一端部に、幅方向に沿って仕切板６が設けられており、フレーム１内部が分割されている。本実施例では、仕切板６は、横たわった利用者の肩の位置に対応するようにフレーム１に設けられている。具体的には、仕切板６は、フレーム１の頭部側から約２０ｃｍ〜３０ｃｍ程度の位置に幅方向に沿って設けられている。
なお、本実施例では、フレーム１の長手方向の寸法は約２００ｃｍとされ、幅寸法は約８０ｃｍとされている。
【００１６】
下フレーム２の下部には、中空の取付部材８が下フレーム２の前記穴２ａを介して、その内部中空をフレーム１内部と連通するように取り付けられる。
本実施例の取付部材８は、上方に開口した箱形状であり、その上方開口部が下フレーム２の穴２ａと連通するように、下フレーム２の下部に固定される。また、取付部材８の対面する一対の両側面９，１０には、内外を連通する穴９ａ，１０ａがそれぞれ形成されている。
【００１７】
取付部材８の一方の穴９ａには、給水パイプ１２の一端部が接続され、他方の穴１０ａには、排水パイプ１４の一端部が接続される。また、各パイプ１２，１４の他端部は、温水ボイラ５２に接続されており、温水を循環させるようになっている。
つまり、温水ボイラ５２から給水パイプ１２を介して取付部材８およびフレーム１内に温水が供給され、この温水は排水パイプ１４を介して温水ボイラ５２に戻され循環する。
【００１８】
なお、本実施例では、給水パイプ１２と排水パイプ１４とは、その中途において連結されている。具体的には、温水ボイラ５２から延出する給水パイプ１２は、三方弁１６の第一取付口１６Ａに接続されて二股に分岐し、第二取付口１６Ｂを介して取付部材８に連結されると共に、第三取付口１６Ｃを介して排水パイプ１４の中途に接続される。
【００１９】
フレーム１には、長方形網状の金属製の敷板１８が載せ置かれる。この敷板１８は、スポット溶接により、上フレーム４の上面に固定される。そして、この敷板１８の上面に石板２０が載せ置かれ、本実施例では、石板２０は接着剤により敷板１８に固定される。
【００２０】
本実施例の石板２０は、複数枚から構成されており、利用者が横たわった際に頭部側になる一端部（図１において右側）に配置される頭部板２１と、脚部側になる他端部に配置される脚部板２２と、頭部板２１と脚部板２２との間にフレーム１の長手方向に沿って３列に配置される中間板２３，２４，２５とから構成されている。つまり、本実施例では、フレーム１の長手方向に離隔して頭部板２１と脚部板２２とが設けられ、その間に３列の中間板２３，２４，２５が設けられる。なお、本実施例では、３列に配置される中間板２３，２４，２５は、それぞれ長手方向に沿って三分割（２３ａ，２４ａ，２５ａ）されている。
【００２１】
本実施例では、頭部板２１および脚部板２２に、略矩形板状の御影石が使用される。御影石には、ルナパール、ジンバブエ、ピンクポリーノなどの種類があるが、たとえば、頭部板２１にはブルーパールが使用され、脚部板２２にはマホガニーが使用される。また、３列に配置される中間板の内、両端２列に配置される石板２３，２５にも、御影石が使用される。
そして、３列に配置される中間板の内、中央に配置される石板２４には、南インドなどで採石され、遠赤外線を放出し易いマハマブルーが使用される。
【００２２】
本実施例の温浴装置はベッド状に構成されているが、その頭部側が上方に若干傾斜している。本実施例では、フレーム１の頭部側が約３度上方に傾斜しており、これに伴ってフレーム１に載せ置かれる敷板１８や石板２０も頭部側が約３度傾斜している。このように、本実施例の温浴装置は、脚部側に対して頭部側が若干高くなるように緩やかに傾斜しており、段付ベッドに等しい形状となっている。
【００２３】
また、本実施例の温浴装置には、温水循環経路（１２，１４）の圧力が高くなったり、フレーム１内において温水が膨張して圧力が高くなったりした場合のために、膨張タンク３０が設けられている。膨張タンク３０を設けることにより、過度の圧力上昇を防止でき、安全に本装置を使用することが可能となる。なお、本実施例では、より安全を図るために安全弁３２を膨張タンク３０に併設している。また、膨張タンク３０に代えて自動給水型シスターンタンクシステムを設けてもよい。
さらに、本実施例の装置には、石板２０の温度を測定するための温度センサー３４が設けられている。
そして、本実施例の装置には、温水が貯留されるフレーム１内部のエアーを抜くためのエアー抜き弁６２が設けられている。
【００２４】
また、本実施例の装置には、フレーム１の周囲に沿って、断面矩形パイプ状の補強材３６が設けられている。そして、フレーム１の幅方向両側には、この補強材３６を介して手すり３８が取り付けられている。なお、本実施例では、補強材３６に断面コ字形状のヒノキ材３９がはめ込まれており、このヒノキ材３９に手すり３８が取り付けられている。
手すり３８が設けられていることで、ベッドから起き上がる際に両方の手を利用して簡単に起き上がることができる。また、ベッドの上で寝返りをした際の転落防止にもなる。
【００２５】
このような構成の本実施例の温浴装置を使用する場合、まず温水循環ポンプ（不図示）を起動して、温水ボイラ５２から給水パイプ１２を介して約６０度〜７０度の温水を取付部材８およびフレーム１内に供給する。この際、温水ボイラ５２からの温水は、三方弁１６の第一取付口１６Ａから第二取付口１６Ｂの方向へ流れる。
【００２６】
フレーム１内に温水が入り込み満たされることで、フレーム１の上部に載せ置かれた石板２０は加熱されて約４５度〜５０度になる。なお、本実施例では、フレーム１内に仕切板６が設けられていることで、フレーム１の頭部側の端部には温水が流れ込むことがなく、頭部板２１は他の石板２２，２３，２４，２５より低い温度となる。
【００２７】
フレーム１内に供給された温水は、排水パイプ１４を介して温水ボイラ５２に戻されて循環する。そして、石板２０の温度が温度センサー３４の測定値に基づいて、設定温度に達した際には、温水ボイラ５２から供給される温水は、三方弁１６の第一取付口１６Ａから第三取付口１６Ｃに流れが切り替わり、フレーム１内への供給が止められる。なお、石板２０の温度が設定温度以下になった場合には、再び温水は三方弁１６の第一取付口１６Ａから第二取付口１６Ｂに流れ、適温を維持する。
【００２８】
利用者は、適温になった石板２０に横たわればよい。この際、最初は、仰向けとなり、次に、うつぶせとなって身体の姿勢を変えると、加温された石板２０により身体が温められる。本実施例の温浴装置では、フレーム１内部に仕切板６が設けられていることで、温水は利用者の肩より下半身側に貯留され、頭部板２１は他の石板２２，２３，２４，２５より低い温度になっており、利用者の頭部を温め過ぎることはない。
【００２９】
そして、本実施例の温浴装置においては、石板２０が温水により加熱されることで遠赤外線が発生し、この遠赤外線の効果により、利用者の体内の分子の活動が高められ、自己発熱が促されることにより、身体の深部まで温められ、健康の維持・増進に効果的である。特に、石板２０の中間板の内、中央に配置される石板２４からは遠赤外線が発生しやすく、利用者の身体の深部まで温める。
また、本実施例の温浴装置は、緩やかに傾斜していることで、利用者は少し起き上がった状態となり、横臥や伏臥でもベッドで寝る場合と同じように楽に休むことができる。この結果、長時間横たわっていても身体への負担が少ない。
【００３０】
このように、本実施例の温浴装置によれば、サウナシステムのように高温環境下に全体を晒すことはないため、血流や心拍数が急速に高まったり、血圧の変化を来たすことはない。そして、温熱効果によりリラックスし、体内の分子結合を切ることから、重金属等の有毒分子や脂肪を体外に排出することができる。
また、本実施例の温浴装置は、ベッド状に構成されているので、身体を横たえたり、起き上がったりするときの負担がほとんどない。さらに、本実施例の温浴装置は、コンパクトであるので、設置スペースを小さくすることができる。
【００３１】
しかも、本実施例の温浴装置は、完全水洗いすることが可能であり、不特定多数の人が使用しても、その都度汗を洗浄でき、清潔を管理することが可能である。
また、本実施例の温浴装置は、温水を貯留したフレーム１の上面に石板２０を設ける構成とされていることで、石板２０には温度ムラが生じず、場所による温度差により利用者に不快感を与えることがない。
【００３２】
本実施例の温浴装置には、フレーム１内に仕切板６が設けられていることで、利用者の頭部を温めすぎることはないが、さらに利用者の頭を冷やすために、枕４０内に水を循環させる構成とすることも可能である。
本実施例の枕４０は、ステンレス製で中空の略直方体形状に形成されている。なお、図示例の枕４０の上面は、その中央部が長手方向に沿って下方へ凹んだ形状とされているが枕４０の形状は箱形など適宜変更可能である。
【００３３】
枕４０の下端部には、フレーム１の幅方向に離隔して２本のパイプ４１，４２が、上下方向に沿って設けられており、各パイプ４１，４２の一端部４１ａ，４２ａは、枕４０内部で開口している。一方のパイプ４１は、枕４０内部に水を供給する給水パイプ４１とされ、他方のパイプ４２は、枕４０内の水を排出する排水パイプ４２とされ、水を循環させる構成となっている。なお、循環させる水は、水道水をそのまま使用することも可能であるし、設定温度（たとえば約７度）の冷水を循環させるようにしてもよい。その場合の設定温度は適宜変更可能である。本実施例では、枕４０内部における排水パイプ４２の開口位置（４２ａ）が、給水パイプ４１の開口位置（４１ａ）より高く設けられており、一定の高さまで枕４０内部に冷水を貯留して枕を冷やす構成とされている。このような枕４０を使用することで、より利用者の頭部を温めすぎることがなくなり、頭寒足熱とすることができる。
【００３４】
ところで、上記実施例では、温水ボイラ５２で加熱した温水を循環させて石板２０を加熱させる構成としたが、本装置に電気ヒーターなどを取り付けて温水を生成することも可能である。
以下、具体的に説明する。なお、本変形例の温浴装置は、基本的には、上記実施例と同じ構成であるので、異なる部分を中心に説明する。
【００３５】
図４は、図１の温浴装置の変形例を示す側面視縦断面図である。
上記実施例では、取付部材８に形成された二つの穴９ａ，１０ａにそれぞれ給水パイプ１２と排水パイプ１４が接続されていたが、本変形例では、取付部材８の一方の穴９ａから電気ヒーター６０が取り付けられる。そして、他方の穴１０ａはフレーム１内に水を供給するために使用される。また、本変形例でも、温水が貯留されるフレーム１内部のエアーを抜くためのエアー抜き弁６２が設けられている（図１）。
【００３６】
さらに、上記実施例では、フレーム１の外周部に補強材３６を設けて、この補強材３６にヒノキ材３９を取り付け、このヒノキ材３９に手すり３８を設ける構成としたが、本実施例では、ヒノキ材３９を設けずに、補強材３６に直接手すり３８が取り付けられている。
【００３７】
本変形例の温浴装置を使用する場合には、まず、エアー抜き弁６２からフレーム１内のエアーを抜きながら、取付部材８の他方の穴１０ａからフレーム１内に水を供給する。そして、満水になったら水の供給を止め、電気ヒーター６０を通電させる。電気ヒーター６０により加熱されて温水となり、この温水により石板２０が約４５〜５０度になったら、電気ヒーター６０への通電を止める。なお、石板２０の温度が設定温度より下がったなら、再び電気ヒーター６０を通電させればよい。
【００３８】
このように、本発明の温浴装置は、温水を供給する手段として、温水ボイラを使用する方法と、電気ヒーターを使用する方法とがあり、設置場所・条件により選択できる利便性がある。
【００３９】
なお、本発明の温浴装置は、上記実施例の構成に限らず、適宜変更可能である。
例えば、フレーム１内に設けられる仕切板６をフレーム１の長手方向に沿って移動可能に設ける構成としても構わない。
【図面の簡単な説明】
【００４０】
【図１】本発明の温浴装置の一実施例を示す斜視図である。
【図２】図１の温浴装置の正面視縦断面図である。
【図３】図１の温浴装置の側面視縦断面図である。
【図４】図１の温浴装置の変形例を示す側面視縦断面図である。
【符号の説明】
【００４１】
１  フレーム
２  下フレーム
４  上フレーム
６  仕切板
８  取付部材
１２  給水パイプ
１４  排水パイプ
２０  石板
２１  頭部板
２２  脚部板
２３，２４，２５  中間板
４０  枕
５２  温水ボイラ
６０  電気ヒーター
【図１】
2006198351.tif 000003
【図２】
2006198351.tif 000004
【図３】
2006198351.tif 000005
【図４】
2006198351.tif 000006